(57)【要約】【課題】  寝たきり患者様の腰部（仙骨部・坐骨部・腸骨部・大転子部）褥瘡の予防と治療を目的とした尿取りパットと紙おむつを提供する。【解決手段】  紙おむつの排泄物吸収素材の配置を、従来の下腹部から背部までの長方形の形から、仙骨部から背部の部分を薄くし、新たに臀部（坐骨部）・腸骨部・大転子部に厚く配置し同部を保護するとともに、仙骨部にかかる体圧を減少させる。  また、紙おむつの内側に配置する尿取りパットの排泄物吸収素材も仙骨部を薄くして窪みを作ることにより、紙おむつの内側に尿取りパットを配置した時の仙骨部にかかる体圧を減少させる。  紙おむつと尿取りパットの仙骨部での排泄物吸収素材を薄くすることにより、同部でたわみ易くなり、患者様のヘッドアップやヘッドダウン時の仙骨部にかかるズレ力をこのたわみで軽減することにより、仙骨部褥瘡予防・治療に貢献する。【選択図】図１
0003175281.tif 000002
【実用新案登録請求の範囲】
【請求項１】
止着式紙おむつの排泄物吸収素材を、従来の下腹部から背部にわたる長方形の形から、仙骨部から背部を薄くし、新たに、臀部（坐骨部）・腸骨部・大転子部に厚く配置した止着式紙おむつ。
【請求項２】
請求項１の止着式紙おむつの内側に配置する尿取りパットは、排泄物吸収素材を仙骨部を薄くして窪みをつけ、請求項１の止着式紙おむつと尿取りパットの位置決めを目的とした粘着テープを、請求項１の止着式紙おむつの内側背部と、尿取りパットの外側の相応する部分に配置した尿取りパット。
【考案の詳細な説明】
【技術分野】
【０００１】  寝たきりの患者様は全身の筋肉が委縮傾向にあり、特に臀筋や脊柱起立筋の委縮は相対的な仙骨部の骨突出をきたす。また寝たきりの患者様に紙おむつを使用する際、その内側にさらに尿取りパットも配置しなければならないことから、尿取りパットや紙おむつの交換が容易である止着式紙おむつが使用されている。【０００２】  本実用新案件は、止着式紙おむつの排泄物吸収素材の配置を、従来の下腹部から背部への一元的な長方形とせず、仙骨部・背部を薄く、新たに臀部（坐骨部）・腸骨部・大転子部に厚く配置することで相対的に臀部を持ち上げ、さらに仙骨部相当部位の排泄物吸収素材を薄くした尿取りパットを紙おむつの内側に配置することにより、寝たきり患者様の仙骨部にかかる体圧を減少させるものである。【０００３】  また、本実用新案件は、紙おむつと尿取りパットの仙骨部相当部分の排泄物吸収素材を薄くすることによる同部でのたわみ易さで、寝たきり患者様のベッドでのヘッドアップ・ヘッドダウン時に生ずる仙骨部にかかるズレ力を軽減させるものである。【０００４】  さらに本実用新案件は、坐骨部・腸骨部・大転子部を排泄物吸収素材で保護することによって腰部（仙骨部・坐骨部・腸骨部・大転子部）の褥瘡予防と治療に役立てるものである。
【背景技術】
【０００５】  紙おむつと尿取りパットに使用される排泄物吸収素材はクッション性があり、接触皮膚部の体圧分散機能がある反面、その厚みが過剰になると逆に体圧を上昇させる。【０００６】  止着式紙おむつは特許文献１の如く、装着感等が重要視され、排泄物吸収素材は、従来より下腹部から背部への一元的な長方形に配置されてあった。【０００７】  寝たきり患者様の場合は、紙おむつの内側にさらに長方形の尿取りパットを配置するが、尿取りパットは特許文献２の如く、排泄物吸収素材の吸水性能や装着感が重要視され、仙骨部にかかる体圧を減少させる工夫は特許文献３の如く、紙おむつの外部からのものであり、紙おむつ自体の排泄物吸収素材の配置及び厚みの工夫や、尿取りパット自体に窪みを作り、仙骨部にかかる体圧を減少させるという発想は無かった。【０００８】  上述のように、現在も尿取りパットと紙おむつの排泄物吸収素材による二重の厚みが、寝たきり患者様の相対的に骨突出した仙骨部を過剰に持ち上げ、同部にかかる体圧の上昇をきたしていた。【０００９】  また、従来のブリーフ型の止着式紙おむつでは、臀部（坐骨部）・腸骨部・大転子部にクッション性のある排泄物吸収素材が配置されていないため、臀部を含めた全ての筋肉が委縮している寝たきり患者様の同部には、体位変換時に体圧が直接作用していた。【００１０】  さらに、寝たきり患者様のヘッドアップやヘッドダウン時には、仙骨部にかかる体圧とズレ力が増強して作用し、褥瘡が形成されやすいことは常識となっている。【００１１】  上述の理由により、寝たきり患者様には仙骨部褥瘡が多く、不適切な体位変換時には、坐骨部・腸骨部・大転子部に新たに褥瘡をつくることが多かった。
【先行技術文献】
【特許文献】
【００１２】
【特許文献１】特開２００８−５５００２
【特許文献２】特開２００１−１３７２８３
【特許文献３】特開２００２−０１１０５２
【考案の概要】
【考案が解決しようとする課題】
【００１３】  本実用新案件は、紙おむつと尿取りパットの仙骨部の排泄物吸収素材の従来の二重の厚みを軽減し、紙おむつの臀部に配置した排泄物吸収素材で相対的に臀部を持ち上げることにより、仙骨部にかかる体圧を減少させるとともに、仙骨部の排泄物吸収素材部を薄くすることによるたわみ易さで、仙骨部にかかるズレ力を軽減させる。
更に臀筋を含む全ての筋肉が委縮している寝たきり患者様の坐骨部・腸骨部・大転子部を紙おむつの排泄物吸収素材で保護するという新発想によるものである。
【課題を解決するための手段】
【００１４】  紙おむつの排泄物吸収素材の配置を、従来の下腹部から背部までの長方形の形から、０１部のように仙骨部から背部の部分を薄く、０２部のように臀部（坐骨部）・腸骨部・大転子部に厚く配置することにより、委縮した臀筋の代わりに相対的に臀部を持ち上げ、仙骨部にかかる体圧を減少させる。【００１５】  更に、紙おむつの内側に配置する尿取りパットの排泄物吸収素材も０３部のように仙骨部を周囲の０４部より薄くすることにより、紙おむつの内側に尿取りパットを配置した時の仙骨部にかかる体圧を減少させる。【００１６】  加えて、仙骨部の紙おむつと尿取りパットの排泄物吸収素材を薄くすることによる同部でのたわみ易さで仙骨部に生じるズレ力を軽減させる。【００１７】  また、紙おむつと尿取りパットの一定部１３部と２１部に粘着テープを配置・固定することにより、常に患者様の仙骨部に尿取りパットの排泄物吸収素材の薄い部分が配置される。【００１８】  また、臀部（坐骨部）・腸骨部・大転子部に排泄物吸収素材を配置することにより、同部を保護し、体位変換時に臀部（坐骨部）・腸骨部・大転子部に直接体圧がかかることを防止する。
【考案の効果】
【００１９】  常に患者様の仙骨部に、排泄物吸収素材の厚みが薄くなった尿取りパットと紙おむつが配置され、臀部に配置された排泄物吸収素材が臀部を持ち上げることにより、仙骨部にかかる体圧・ズレ力が軽減される。
さらに、クッション性のある排泄物吸収素材で体位変換時の臀部（坐骨部）・腸骨部・大転子部が保護される。
紙おむつと尿取りパットの仙骨部相当部位の排泄物吸収素材が薄くなっても、周囲の排泄物吸収素材と連携しているため尿漏れしやすくなるという心配は無い。
紙おむつと尿取りパットの排泄物吸収素材の厚みと配置を変えただけなので、廃棄処分も従来の紙おむつと尿取りパットと同じで簡便である。
【図面の簡単な説明】
【図１】  本実用新案件の紙おむつと尿取りパットの全体図である。
【図２】  本実用新案件の尿取りパットの平面図と、これを臀部に装着した模式図である。
【図３】  本実用新案件の紙おむつの平面図と、これを臀部に装着した模式図である。
【図４】  本実用新案件の紙おむつの内側に尿取りパットを装着した平面図と、これらを臀部に装着した場合の仙骨部縦断面の模式図である。
【実施例】〔図１〕  本実用新案件の紙おむつと尿取りパットの全体図である。
【符号の説明】０１  紙おむつの排泄物吸収素材を薄く配置した、仙骨部・腰椎部。
０２  紙おむつの排泄物吸収素材を厚く配置した、臀部（坐骨部）・腸骨部・大転子部・      下腹部。
０３  尿取りパットの排泄物吸収素材を薄く配置した、仙骨部。
０４  紙おむつの排泄物吸収素材を厚く配置した、仙骨部以外の部。
０５  紙おむつ０１部と尿取りパット０３部の薄く配置した排泄物吸収素材が作る周囲の      排泄物吸収素材との厚み差による窪み。
１１  紙おむつの胴回り伸縮ギャザー。
１２  紙おむつの背部ギャザー。
１３  紙おむつ粘着テープ（尿取りパット粘着テープ２１と対応）。
１４  紙おむつ胴回り粘着テープ（紙おむつ腹部１７の外側面と対応）。
１５  紙おむつ大腿部ギャザー。
１６  紙おむつ尿漏れ防止ギャザー。
１７  紙おむつ腹部（紙おむつ胴回り粘着テープ１４と対応）。
２１  尿取りパット粘着テープ（紙おむつ粘着テープ１３と対応）
２２  尿取りパットギャザー
２３  尿取りパット尿漏れ防止ギャザー
【図１】
0003175281.tif 000003
【図２】
0003175281.tif 000004
【図３】
0003175281.tif 000005
【図４】
0003175281.tif 000006
【手続補正書】
【提出日】平成23年12月1日(2011.12.1)
【手続補正１】
【補正対象書類名】実用新案登録請求の範囲
【補正対象項目名】全文
【補正方法】変更
【補正の内容】
【実用新案登録請求の範囲】
【請求項１】
止着式紙おむつの排泄物吸収素材を、仙骨部から背部を薄くし、新たに、臀部（坐骨部）・腸骨部・大転子部に厚く配置した止着式紙おむつ。
【請求項２】
請求項１の止着式紙おむつの内側に配置する尿取りパットは、排泄物吸収素材を仙骨部を薄くして窪みをつけ、請求項１の止着式紙おむつの粘着テープと尿取りパットの粘着テープで尿取りパットの窪みの位置を常に仙骨部に固定した尿取りパット。
【手続補正書】
【提出日】平成24年2月9日(2012.2.9)
【手続補正１】
【補正対象書類名】実用新案登録請求の範囲
【補正対象項目名】全文
【補正方法】変更
【補正の内容】
【実用新案登録請求の範囲】
【請求項１】
止着式紙おむつの排泄物吸収素材を、仙骨部から背部を薄くし、臀部（坐骨部）・腸骨部・大転子部に厚く配置した止着式紙おむつ。
【請求項２】
請求項１の止着式紙おむつの内側に配置する尿取りパットであって、排泄物吸収素材を仙骨部を薄くして窪みをつけ、請求項１の止着式紙おむつの粘着テープと尿取りパットの粘着テープで尿取りパットの窪みの位置を常に仙骨部に固定出来る尿取りパット。